(57)【特許請求の範囲】
【請求項１】
表板、裏板、一対の側板、天板及び底板からなり、前記天板は、前記側板の上端縁に連続して設けられた一対の内フラップと、前記表板及び裏板の上端縁に連続して設けられ前記内フラップに貼着された一対の外フラップとからなり、前記底板は、前記側板の下端縁に連続して設けられた一対の内フラップと、前記表板及び裏板の下端縁に連続して設けられ前記内フラップに貼着された一対の外フラップとからなる段ボール箱であって、前記天板又は底板を構成する外フラップの少なくとも一方に、開口を形成できるように形成された手差込用破断線と、この手差込用破断線の両側において表板又は裏板との稜線と略平行に形成された中間破断線と、前記内フラップの外フラップとの非貼着部分に側板との稜線と略平行に形成されたフラップ破断線とを有することを特徴とする易開封段ボール箱。
【請求項２】
前記手差込用破断線により形成される開口の反稜線側の両端において、稜線と略平行に補助破断線が形成されている請求項１記載の易開封段ボール箱。
【請求項３】
前記手差込用破断線が、天板又は裏板の外フラップの少なくとも一方の両側端近傍にそれぞれ形成されている請求項１又は２記載の易開封段ボール箱。
【請求項４】
前記手差込用破断線の一部が、表板又は裏板との稜線近傍の表板又は裏板に形成されている請求項１、２又は３記載の易開封段ボール箱。
【請求項５】
前記手差込用破断線により形成される開口に対応する個所の内フラップが切除されている請求項１、２、３又は４記載の易開封段ボール箱。
【発明の詳細な説明】
【技術分野】
【０００１】
本発明は、缶ビール等を収納する段ボール箱に関し、さらに詳しくは、簡単に開封することができる易開封段ボール箱に関するものである。
【背景技術】
【０００２】
従来、比較的重量のある商品、例えば、缶ビール、缶ジュース等を梱包するには段ボール箱が用いられている。この段ボール箱は、側板、表板、側板、裏板が連続して形成され、かつ、表板及び裏板の上下端縁に連続して外フラップが形成されるとともに、側板の上下端縁に連続して内フラップが形成され、さらに、側板の側端縁に継ぎしろが形成されたものを用い、各境界線で折曲するとともに、内フラップと外フラップ及び継ぎしろと裏板とを貼着することにより作製している。
【０００３】
そして、このような段ボール箱を開封するには、カッター等の切断器具を用いて、外フラップと表板との稜線部分および内フラップと側板との稜線部分を切断し、一体となっている外フラップと内フラップとを引き上げることにより開封したり、また、外フラップを力まかせに内フラップから引き剥がし、外フラップ及び内フラップをそれぞれ引き上げることにより開封していた。
【０００４】
しかしながら、上述したような切断器具を用いて開封する方法は、切断器具を用意しなければならず、さらに、切断作業自体が面倒なものであった。また、力任せに引き剥がす方法は、女性、子供等の力の弱い者にとっては困難な作業となっていた。特に、スーパーマーケット、仕入れ工場等の多量の商品を扱う所においては、多大な時間と労力が必要となり大きな問題であった。
【０００５】
そこで、従来、容易に開封できるようにした段ボール箱が各種提案されており、ミシン目等を形成することにより、容易に開封できるようにした段ボール箱が提案されている（例えば、特許文献１、特許文献２、特許文献３、特許文献４参照。）。
【０００６】
【特許文献１】実開昭５９−１４６４０４号公報
【特許文献２】特開昭６３−３９２４号公報
【特許文献３】特開平７−２０５９７０号公報
【特許文献４】特開平７−３２９９５５号公報
【発明の開示】
【発明が解決しようとする課題】
【０００７】
しかしながら、従来提案されている段ボール箱は、開封作業が煩雑であり、簡単に開封することができなかった。
【０００８】
本発明は、以上の問題点を解決し、少しの力で、かつ極めて簡単な作業で確実に開封することができる易開封段ボール箱を提供することを目的とする。
【課題を解決するための手段】
【０００９】
本発明による易開封段ボール箱は、表板、裏板、一対の側板、天板及び底板からなり、前記天板は、前記側板の上端縁に連続して設けられた一対の内フラップと、前記表板及び裏板の上端縁に連続して設けられ前記内フラップに貼着された一対の外フラップとからなり、前記底板は、前記側板の下端縁に連続して設けられた一対の内フラップと、前記表板及び裏板の下端縁に連続して設けられ前記内フラップに貼着された一対の外フラップとからなる段ボール箱であって、前記天板又は底板を構成する外フラップの少なくとも一方に、開口を形成できるように形成された手差込用破断線と、この手差込用破断線の両側において表板又は裏板との稜線と略平行に形成された中間破断線と、前記内フラップの外フラップとの非貼着部分に側板との稜線と略平行に形成されたフラップ破断線とを有することを特徴として構成されている。
【発明の効果】
【００１０】
本発明による易開封段ボール箱においては、手差込用破断線で全部又は一部を囲繞されている部分を手（少なくとも指１本、以下、同様）で内側に押込むと、手差込用破断線が破断して開口するので、この開口部分に手を差し込むことができる。この時、押込まれた段ボール片は、完全に分離して内部に落ち込んでいるか、又は内部において裏側に折り返った状態となっている。こうして内部に挿入した手で外フラップを上方へ引き上げる。すると、手差込用破断線で形成された開口の両側端から破断し始め、その破断が中間破断線にまで達する。
【００１１】
この状態でさらに斜上方へ引き上げると、中間破断線が外側に向かって破断して行き、外フラップの端部まで破断する。そして、さらに斜上方に引き上げると、外フラップは内フラップに貼着されているので、フラップ破断線の端部に力が作用し、フラップ破断線が破断を始める。したがって、外フラップの大部分及び内フラップの大部分が、フラップ破断線の破断と共に開いて行き、フラップ破断線の全長が破断すると、段ボール箱の上部が完全に開口することになる。
【００１２】
以上のように、手で手差込用破断線で囲まれた部位を押すことにより、外フラップの一部を内部に押込むと共に指を内部に挿入することができ、この内部に差し込んだ指を引き上げるだけで破断線に沿って破断していくので、極めて容易に開封することができる。そして、この内部に挿入した１本の指を手前に引いて開封する作業においては、従来の開封において外フラップと内フラップを引き剥がす時のような強い力を必要としない。また、外フラップ及び内フラップの破断は、連続して瞬間的に行なわれるので、女性、子供等の力の弱い者でも簡単に開封することができる。よって、スーパー等の大量に商品を取り扱う所においては、大幅に作業能率を上げることができるとともに、労力の軽減を図ることができる。
【発明を実施するための最良の形態】
【００１３】
本発明による易開封段ボール箱は、外フラップに開口を形成できるように手差込用破断線が形成されている。この手差込用破断線は、開封する際、外フラップの一部を切断開口し、少なくとも１本の指を内部に挿入できるようにするためのものであり、開口を形成できれば、外フラップの一部を完全に切り離す状態（例えば、手差込用破断線を長方形状に形成、手差込用破断線で囲繞した部分を切り離す）であっても、折曲状態で開口する状態（例えば、手差込用破断線を「コ」字状に形成し、破断線を形成しなかった部分を折り曲げる）であってもよい。また、開口の反稜線側（手差込用破断線を押込んで開口を形成した際、表板又は裏板との稜線に近い側と反対側、以後同様）の辺が稜線と略平行状態となれば、その形状、寸法は特に限定されない。
【００１４】
また、手差込用破断線により形成される開口に対応する個所の内フラップを切除することができる。すなわち、手差込用破断線を形成した個所の内部に内フラップが位置する場合があり、このような場合、外フラップを押込んで開口を形成するのに力を要することになるので、内フラップを切除することにより開口の形成が容易になる。また、指を手前に引いて、外フラップの破断に続いて内フラップを破断する際、内フラップの上部が外フラップに当らないため、外フラップの抵抗が少なくなるので、内フラップが破断し易くなる。
【００１５】
手差込用破断線は、その一部が表板又は裏板との稜線近傍の表板又は裏板に形成してもよい。この手差込用破断線においては、一部が表板又は裏板との稜線近傍に形成されているので、その部分を上方へ引き上げると、稜線部分の弾性と相俟って容易に破断して浮き上がる。そして、浮き上がった表板又は裏板部分を持って引き上げることにより、開口を容易に形成することができる。
【００１６】
また、手差込用破断線の両側端に補助破断線を連続して形成することが好ましい。補助破断線を形成することにより、手差込用破断線から連続して破断するので、破断長さを適宜調整することができる。この補助破断線は、稜線と略平行に形成するものであり、この略平行には、やや斜めに形成するもの、円弧状に形成するものも含まれる。
【００１７】
中間破断線は、手差込用破断線とフラップ破断線との間を繋ぐもので、手差込用破断線からの破断が中間破断線に繋がり、中間破断線の破断がフラップ破断線に繋がるものである。この中間破断線は、一段に限られるものでなく、二段、三段に分けて形成してもよい。数段に亘って形成することにより、大きな段ボール箱であっても破断を円滑に行なうことができる。また、中間破断線は、稜線と略平行に形成するものであるが、この略平行には、やや斜めに形成するもの、円弧状に形成するものも含まれる。
【００１８】
フラップ破断線は、中間破断線からの破断を引き継ぎ、内フラップの貼着部分以外を破断することにより、切り離された方の内フラップ及び貼着されている外フラップを自由に開くことができるようにするものである。このフラップ破断線は、側板との稜線に略平行に形成するものであるが、この略平行には、やや斜めに形成するもの、円弧状に形成するものも含まれる。
【００１９】
前記手差込用破断線は複数設けることができる。すなわち、手差込用破断線を外フラップの両側端近傍に各々設け、さらに、中間破断線を各々の手差込用破断線に設け（この場合、両手差込用破断線の内側に位置することとなる中間破断線は、一つの破断線で兼用することになる）ることができる。このように、手差込用破断線を２つ設けることにより、大きい段ボール箱であっても、容易に開封することができる。
【００２０】
また、前記手差込用破断線、中間破断線及びフラップ破断線は、段ボール箱の天板側の外フラップのみならず底板側の外フラップにも形成することができる。このように天板と底板の両方に形成することにより、使用済みの段ボール箱を簡単に折り畳むことができ、廃棄が容易になる。
【００２１】
易開封段ボール箱に形成する破断線は、力を作用させることにより破断するものであれば特に限定されず、例えば、ミシン目、切れ目とすることができる。また、本発明の易開封段ボール箱に収納する物としては、特に限定されず、例えば、缶ビール、缶ジュース、パック飲料等がある。
【００２２】
本発明による易開封段ボール箱の一実施形態を図面を参照して説明する。
【００２３】
図１は易開封段ボール箱の斜視図、図２は易開封段ボール箱の展開図、図３は易開封段ボール箱を開封した状態の斜視図、図４は易開封段ボール箱を開封し、さらに表板を剥がした状態の斜視図である。
【００２４】
図１及び図２において、２１０は表板、２２０、２３０は一対の側板、２４０は裏板、２５０は天板、２６０は底板であり、天板２５０は、側板２２０、２３０と連続して形成された一対の内フラップ２５１と、表板２１０及び裏板２４０と連続して形成された一対の外フラップ２５２とで構成され、内フラップ２５１の上面に外フラップ２５２の裏面を貼着している。底板２６０も天板２５０と同様に、側板２２０、２３０と連続して形成された一対の内フラップ２６１と、表板２１０及び裏板２４０と連続して形成された一対の外フラップ２６２とで構成され、内フラップ２６１の上面に外フラップ２６２の裏面を貼着している。また、２７０は継ぎしろで、側板２３０と連続して一体に形成されており、表板２１０と貼着されている。
【００２５】
前記外フラップ２５２の略中央には、略「コ」字状の手差込用破断線としての手差込用ミシン目２８０が形成されており、この手差込用ミシン目２８０の反稜線側両側端２８０ａから外側方向（側板２２０、２３０方向）に、補助破断線としての補助ミシン目２８１が形成されている。
【００２６】
前記補助ミシン目２８１の略両側に位置して、外フラップ２５２と表板２１０との稜線に略平行に、第一中間ミシン目２９０が形成され、この中間ミシン目２９０の内側端２９０ａは、補助ミシン目２８１の外側端２８１ａより若干内側に位置し、また、外側端２９０ｂは外フラップ２５２の側端の手前に位置している。そして、この第一中間ミシン目２９０の外側端２９０ｂ近傍から略平行に第二中間ミシン目２９１が側端まで形成されている。また、底板２６０を構成する外フラップ２６２においても、外フラップ２５２と同様に、第一中間ミシン目２９０及び第二中間ミシン目２９１が形成されている。
【００２７】
前記内フラップ２５１には、側板２２０、２３０との稜線と略平行にフラップ破断線としてのフラップミシン目３００が形成されており、このフラップミシン目３００が形成された部位は、外フラップ２５２との貼着部分２５１ａ以外の非貼着部分となっている。したがって、フラップミシン目３００で内フラップ２５１が分割されることにより、内フラップ２５１は外フラップ２５２と共に開くことができるようになっている。また、貼着部分２５１ａの端部が一部切除されている。内スラップ２６１においても、内フラップ２５１と同様に、フラップミシン目３００が形成されている。
【００２８】
以上のような易開封段ボール箱を開封する動作について説明する。
【００２９】
まず、手差込用ミシン目２８０で囲まれた囲繞部分２５２ａを指の先で押込む。すると、手差込用ミシン目２８０が破断して囲繞部分２５２ａが折曲して内部に入り込む。こうして囲繞部分２５２ａが開口するので、指を差し入れて外フラップ２５２を引き上げる。すると、補助ミシン目２８１に力が作用し、補助ミシン目２８１は外側方向に破断していき、外側端２８１ａまで破断すると、外側端２８１ａにおいて力が斜上方へ作用するので、その力により外フラップ２５２は破断していく。
【００３０】
こうして外フラップ２５２の破断が第一中間ミシン目２９０の内側端２９０ａに達する。そして、第一中間ミシン目２９０が破断して行き、その外側端２９０ｂまで破断すると、その外側端２９０ｂから第二中間ミシン目２９１方向に破断して行く。そして、破断が第二中間ミシン目２９１まで達すると、第二ミシン目２９１が破断して行き、外フラップ２５２が２つに分断される。
【００３１】
この状態でさらに外フラップ２５２を引き上げると、内フラップ２５１は外フラップ２５２に貼着されているので、内フラップ２５１のフラップミシン目３００が破断を始める。このフラップミシン目３００の破断により、内フラップ２５１が２つに分断される。すなわち、外フラップ２５２に貼着している開口部２５１ｂと、側板２２０、２３０と連続している非開口部２５１ｃとに分断される。したがって、外フラップ２５２と内フラップ２５１の開口部２５１ｂが一体となって開き、開封される。
【００３２】
また、底板２６０側近傍に設けた手差込用ミシン目２８０、補助ミシン目２８１、第一中間ミシン目２９０、第二中間ミシン目２９１及びフラップミシン目３００においても、同様な作業で開封する。そして、さらに、表板２１０を継ぎしろ２７０から剥がし、図４に示すように、略展開状態にする。このような状態にすることにより、全ての収納物を極めて簡単に取り出すことができ、また、廃棄においても、平面状に畳めるので極めて簡単である。
【００３３】
次に、本発明による易開封性段ボール箱の第２の実施形態を図５を参照して説明する。図５は、易開封性段ボール箱の斜視図である。なお、この第２の実施形態は、前記第１の実施形態と略同様な構造であるので、同一の部材に関しては同一の符号を付して説明する。
【００３４】
この図に示す易開封性段ボール箱は、手差込用破断線が表板の２か所に形成されているもので、大きい段ボール箱であっても簡単に開封することができるものである。すなわち、外フラップ２５２の両側近傍において、「コ」字状をした手差込用破断線３１０がそれぞれ形成されている。
【００３５】
この手差込用ミシン目３１０の略両側に位置して、外フラップ２５２と表板２１０との稜線に略平行に、補助ミシン目３２０が形成され、この補助ミシン目３２０の両側近傍には、第一中間ミシン目３２１が形成されている。そして、内側に形成された第一ミシン目３２１間には、第二ミシン目３２２が形成されている。
【００３６】
また、前記内フラップ２５１には、第１の実施形態と同様に、側板２２０、２３０との稜線と略平行にフラップミシン目３３０が形成されており、このフラップミシン目３３０が形成された部位は、外フラップ２５２との貼着部分以外の非貼着部分となっている。さらに、内フラップ２５１は、前記手差込用ミシン目３１０が形成されている個所に対応する部分２５１ｄが切除されている。
【００３７】
本発明による易開封性段ボール箱の第３の実施形態を図６を参照して説明する。図６は、易開封性段ボール箱の斜視図である。なお、この第３の実施形態は、前記第１の実施形態と略同様な構造であるので、同一の部材に関しては同一の符号を付して説明する。
【００３８】
この図に示す易開封段ボール箱は、手差込用ミシン目３４０が外フラップ２５２から表板２１０にかけて形成されている。すなわち、手差込用ミシン目３４０の一部３４０ａが稜線の近傍に稜線と略平行に形成され、その両端から稜線と略直角に外フラップ２５２に向かって形成されている。そして、外フラップ２５２における手差込用ミシン目３４０の両側に連続して補助ミシン目３５０が形成されており、この補助ミシン目３５０の外側端近傍に、外フラップ２５２と表板２１０との稜線に略平行な第一中間ミシン目３５１が形成されている。この第一中間ミシン目３５１の両側近傍には、第二中間ミシン目３５２が形成されている。
【００３９】
また、前記内フラップ２５１には、第１の実施形態と同様に、側板２２０、２３０との稜線と略平行にフラップミシン目３６０が形成されており、このフラップミシン目３６０が形成された部位は、外フラップ２５２との貼着部分以外の非貼着部分となっている。
【図面の簡単な説明】
【００４０】
【図１】本発明による易開封段ボール箱の第１の実施形態の斜視図である。
【図２】本発明による易開封段ボール箱の第１の実施形態を展開した状態の図である。
【図３】本発明による易開封段ボール箱の第１の実施形態の開封状態を示す斜視図である。
【図４】本発明による易開封段ボール箱の第１の実施形態の開封状態を示す斜視図である。
【図５】本発明による易開封段ボール箱の第２の実施形態の斜視図である。
【図６】本発明による易開封段ボール箱の第３の実施形態の斜視図である。
【符号の説明】
【００４１】
２１０…表板
２２０…側板
２３０…側板
２４０…裏板
２５０…天板
２５１…内フラップ
２５２…外フラップ
２６０…底板
２６１…内フラップ
２６２…外フラップ
２７０…継ぎしろ
２８０…手差込用ミシン目（手差込用破断線）
２８１…補助ミシン目（補助破断線）
２９０…第１中間ミシン目（中間破断線）
２９１…第２中間ミシン目（中間破断線）
３００…フラップミシン目（フラップ破断線）
３１０…手差込用ミシン目（手差込用破断線）
３２０…補助ミシン目（補助破断線）
３２１…第１中間ミシン目（中間破断線）
３２２…第２中間ミシン目（中間破断線）
３４０…手差込用ミシン目（手差込用破断線）
３５０…補助ミシン目（補助破断線）
３５１…第１中間ミシン目（中間破断線）
３５２…第２中間ミシン目（中間破断線）
【要約】
【課題】      缶ビール等を包装する段ボール箱において、極めて簡単に開封できるようにする。
【解決手段】  外フラップ２５２の略中央には、略「コ」字状の手差込用ミシン目２８０が形成されている。手差込用ミシン目２８０の反稜線側両側端２８０ａから外側方向に、補助破断線としての補助ミシン目２８１が形成されている。補助ミシン目２８１の略両側に位置して、外フラップ２５２と表板２１０との稜線に略平行に、第一中間ミシン目２９０が形成されている。第一中間ミシン目２９０の内側端２９０ａは、補助ミシン目２８１の外側端２８１ａより若干内側に位置し、外側端２９０ｂは外フラップ２５２の側端の手前に位置している。第一中間ミシン目２９０の外側端２９０ｂ近傍から略平行に第二中間ミシン目２９１が側端まで形成されている。内フラップ２５１には、側板２２０、２３０との稜線と略平行にフラップミシン目３００が形成されている。
【選択図】        図１
【図１】
0003571713.tif 000002
【図２】
0003571713.tif 000003
【図３】
0003571713.tif 000004
【図４】
0003571713.tif 000005
【図５】
0003571713.tif 000006
【図６】
0003571713.tif 000007
【図７】
0003571713.tif 000008
【図８】
0003571713.tif 000009
【図９】
0003571713.tif 000010
【図１０】
0003571713.tif 000011
【図１１】
0003571713.tif 000012